(57)【要約】【課題】  本発明は、ハウジング（１１）、散光器（１２）、光源（１３）および加熱源（１４）を有する照明器具（１０）を提供する。【解決手段】  ハウジングは、構造物の天井に在来の方法で装着されるようになっている半径方向列の取付板（１７）を包含する。取付板は、吸気開口（１９）を間に形成する取付アーム（１８）の列を包含する。取付板は、貫通する中央通路（２２）を設けた管状流路（２１）に連結される。流路の最下方部分はねじ付きネック部（２４）を含む。ねじ付き錠止板（２８）がねじ付きネック部と回転自在に係合している。錠止板は、それを貫いて延びる半径方向列の排気開口（３２）を含む。熱源は、加熱要素（３８）およびモータ駆動式ファン（３９）を含む。【選択図】  図１
2010067348.tif 000002
【特許請求の範囲】
【請求項１】
吸気口および貫通している空気流路を有する管状ハウジングであって、吸気口と反対側に設けたねじ付き端も有する管状ハウジングと、ハウジングのねじ付き端を受け入れるように構成した中央開口を設けた散光器と、該ハウジングに連結した光源と、該ハウジングの空気流路を通過する空気を加熱するように該ハウジングに連結した熱源と、該ハウジングのねじ付き端に螺合させた錠止板であって、少なくとも１つの排気開口を有する錠止板とを包含し、ハウジングを通過する空気流が熱源により加熱され、錠止板にある排気開口から放出される照明器具。
【請求項２】
錠止板が環状列に設けた排気開口を含む、請求項１記載の照明器具。
【請求項３】
熱源が正温度係数ヒータである、請求項１記載の照明器具。
【請求項４】
ハウジングが環状列の吸気開口を設けた取付板を含む、請求項１記載の照明器具。
【請求項５】
ハウジングのねじ付き端が外ねじ山を有する、請求項１記載の照明器具。
【請求項６】
さらに、ハウジングに連結したファンを含む、請求項１記載の照明器具。
【請求項７】
ファンが管状ハウジングの空気流路内に装着してある、請求項６記載の照明器具。
【請求項８】
上方に位置する構造物に装着可能な照明器具であって、吸気口および貫通している空気流路を有する管状ハウジングであり、吸気口と反対側の空気出口端も有する管状ハウジングと、この管状ハウジングに連結した取付板であり、該管状ハウジングを上方に位置する構造物から隔離している取付板と、該ハウジングの出口端を受け入れるように構成した中央開口を有する散光器と、該ハウジングと該散光器の間に設置した光源と、該ハウジングの空気流路を通過する空気流を加熱するように設置した熱源と、該ハウジング出口端に連結してあり、少なくとも１つの排気開口を有する錠止板とを包含し、ハウジングを通過する空気流が熱源により加熱され、錠止板にある排気開口から放出される照明器具。
【請求項９】
錠止板が環状列に設けた排気開口を含む、請求項８記載の照明器具。
【請求項１０】
熱源が正温度係数ヒータである、請求項８記載の照明器具。
【請求項１１】
ハウジング出口端にねじが切ってあり、このハウジング出口端と協働するように錠止板にねじが切ってある、請求項８記載の照明器具。
【請求項１２】
ハウジング出口端が外ねじ山を有し、錠止板が内ねじ山を有する、請求項１１記載の照明器具。
【請求項１３】
さらに、ハウジングに連結したファンを含む、請求項８記載の照明器具。
【請求項１４】
ファンが管状ハウジングの空気流路内に装着してある、請求項１３記載の照明器具。
【請求項１５】
吸気口および貫通している空気流路を有する管状ハウジングと、該ハウジングに連結した光源と、該ハウジング空気流路を通過する空気を加熱するように該ハウジングに連結した熱源と、該ハウジングに着脱自在に連結してあり、少なくとも１つの排気開口を有する錠止板と、該ハウジングに連結可能な散光器とを包含し、ハウジングを通過する空気流が熱源により加熱され、錠止板にある排気開口から放出される照明器具。
【請求項１６】
錠止板が環状列に設けた排気開口を含む、請求項１５記載の照明器具。
【請求項１７】
熱源が正温度係数ヒータである、請求項１５記載の照明器具。
【請求項１８】
ハウジングが環状列の吸気開口を有する取付板を包含する、請求項１５記載の照明器具。
【請求項１９】
ハウジングが錠止板に回転自在に連結してある、請求項１５記載の照明器具。
【請求項２０】
ハウジングおよび錠止板が、対応するねじ山を介して回転自在に連結してある、請求項１９記載の照明器具。
【請求項２１】
さらに、ハウジングに連結したファンを含む、請求項１５記載の照明器具。
【請求項２２】
ファンが管状ハウジングの空気流路内に装着してある、請求項２１記載の照明器具。
【発明の詳細な説明】
【技術分野】
【０００１】
本発明は、全般的には照明器具、より詳しくは、暖房能力を有する照明器具に関する。
【背景技術】
【０００２】
照明器具は長年にわたって存在している。近年では、或る種の照明器具は、周囲の空気を暖めるためにヒータを組み込んでいる。これらの照明器具は、代表的にはバスルームに設置され、バスルームを暖房して、シャワーを浴びたり、浴槽に浸かったりした後の快適性を向上させるようになっている。しかしながら、そのままでは、これらの照明器具は、代表的な家庭内の他の部屋の均整の取れた美観に融合するようには設計されていない。
【発明の開示】
【発明が解決しようとする課題】
【０００３】
したがって、暖房も行え、目立たず保守の容易な照明器具についての要望があると思われる。本発明が主として目的とするのはこのような照明器具を提供することにある。
【課題を解決するための手段】
【０００４】
本発明の好ましい形態においては、照明器具は、吸気口、貫通する空気流路および吸気口とは反対側に設けたねじ付き端を有する管状ハウジングを包含する。この照明器具は、また、ハウジングのねじ付き端を受け入れるように構成した中央開口を設けた散光器と、光源と、ハウジングの空気流路を通過する空気を加熱する熱源と、ハウジングのねじ付き端に螺合させた錠止板とを有する。錠止板は、少なくとも１つの排気開口を有する。この構造によれば、ハウジングを通過する空気流が熱源により加熱され、錠止板にある排気開口から放出される。
【０００５】
以下、添付図面を参照しながら本発明を説明する。
図１は、本発明の照明器具の側面図である。
図２は、図１の照明器具の底面図である。
図３は、図１の照明器具の部分展開図である。
【０００６】
図面を参照して、ここには、本発明の好ましい形態を持つ照明器具１０が示してある。照明器具１０は、ハウジング１１と、半透明のシェードまたは散光器１２と、光源１３と、加熱源１４とを包含する。
【０００７】
ハウジング１１は、構造の天井またはジャンクションボックスに在来の方法で装着するようになっている取付板１７を包含する。取付板１７は、吸気スペースまたは開口１９を間に形成している半径方向列の取付アーム１８を包含する。取付板１７は、中央通路２２が貫通している管状流路２１に接続している。流路２１の最下方部分は、環状であり、上方散光器座部２３および外ねじ山２５を切ったネック部２４を包含する。内ねじ山２９を切った錠止板または頂部板２８がねじ付きネック部２４と回転自在に係合している。錠止板２８は、それを貫通して半径方向列の排気開口３２が設けてある。
【０００８】
散光器１２は、ガラスまたはプラスチックのような任意の透明または半透明の材料で作ってあるとよい。散光器１２は、中央開口３３を有し、この中央開口は、ハウジングのネック部２４を受け入れ、散光器座部２３と当接するような形態となっている。錠止板２８をネック部２４に螺合させることにより、散光器１２のハウジング１１上の位置を維持している。
【０００９】
光源１３は、ハウジング１１に装着した一連の電球ソケット３５を包含する。電球ソケット２５は、在来の家庭内電線に接続できる電線に電気的に接続している。電球３６が各電球ソケット３５内に装着してある。
【００１０】
熱源１４は、ハウジング流路２１の中央通路２２内に装着した加熱要素３８を包含する。加熱要素３８は、正温度係数ヒータ（ＰＴＣヒータ）であってもよい。熱源１４は、また、図面の矢印で示すように空気流を生じさせるモータ駆動式ファン３９を包含する。空気流は、取付板スペース１９を通ってハウジングに流入し、中央通路２２、加熱要素３８を通って流れ、錠止板の排気開口３２を通って流出する。加熱要素３８およびモータ駆動式ファン３９も在来の家庭配線に接続してある。
【００１１】
使用時、照明器具は、ライトとして、ヒータとして、または、ライトおよびヒータとして使用できる。光源および／または熱源は、任意の在来のスイッチ、たとえば、壁スイッチ、装置自体に装着した引き紐スイッチのようなスイッチ、無線周波制御回路のような遠隔制御スイッチを介して電線を通して電流の供給を受けるものであってよい。ヒータとしてまたはライト兼ヒータとしての使用中、ファン３９が空気流を生じさせ、この空気流は、加熱要素３８により加熱され、錠止板開口３２を通してハウジング１１から放出される。
【００１２】
錠止板が取り外せるので、加熱要素の保守が容易であり、または、電球を掃除したり、交換したりするために散光器を取り外すのが効率的である。錠止板に設けた排気開口により、加熱空気を、天井に向かって上方へ向けることなく下方に向け、部屋を効率よく暖房できる。
【００１３】
オプションとして、散光器は、上方に位置する天井近くの位置まで延びるトリム・リング４０を包含していてもよい。トリム・リングは、散光器内のスペースに空気流を送り込むことのできる吸気口４１を包含することになる。
【００１４】
ここで、本発明の照明器具が、構造物の天井または壁に直接取り付けずに、天井ファンに連結する照明器具も含み得ることは了解されたい。代替案として、ハウジングに内ねじを切り、錠止板が対応する外ねじ山を持つか、または、ねじを切った取付ロッドおよびロッド受けを持っていてもよいことも了解されたい。散光器は、錠止板に直接装着してもよい。最後に、ヒータはハウジングの頂部近く、ハウジングの中間部、または、ハウジングの底部近くに設置してもよいので、ヒータの位置が絶対的なことではないことを了解されたい。
【００１５】
こうして、熱を与えると共に目立たず照明器具がここで提供されたことがわかる。本発明を特にその好ましい実施形態に関連して詳細に説明してきたが、特許請求の範囲に記載したような発明の精神と範囲から逸脱することなく多くの修正、追加、削除をなし得ることは了解されたい。
【図面の簡単な説明】
【００１６】
【図１】本発明の照明器具の側面図である。
【図２】図１の照明器具の底面図である。
【図３】図１の照明器具の部分展開図である。
【手続補正書】
【提出日】平成21年11月20日(2009.11.20)
【手続補正１】
【補正対象書類名】図面
【補正対象項目名】全図
【補正方法】追加
【補正の内容】
【図１】
2010067348.tif 000003
【図２】
2010067348.tif 000004
【図３】
2010067348.tif 000005
【外国語明細書】
2010067348000001.pdf